(57)【要約】【課題】装着者がパンツタイプ使い捨ておむつの前身頃の引き下ろした際における、吸収体の変形に伴う前方への過度の膨出を防止できるパンツタイプ使い捨ておむつを提供する。【解決手段】前身頃Ｆ及び後身頃Ｂを個別又は一体的に構成する外装体２０と、前身頃Ｆから後身頃Ｂにわたるように外装体２０の内側に設けられた、吸収体１３と、吸収体１３を肌側から覆うトップシート１１を備え、前身頃の外装体の両側縁部と後身頃の外装体の両側縁部とが接合されてサイドシール部が形成されることにより、ウエスト開口及び左右一対の脚開口が形成されたパンツタイプ使い捨ておむつにおいて吸収体１３には、前身頃部Fの肌側及び衣服側のそれぞれに、幅方向に沿う少なくとも１本の溝状のエンボス１７ａ、１７ｂが形成されていることを特徴とするパンツタイプ使い捨ておむつである。【選択図】図２
2018161266.tif 000002
【特許請求の範囲】
【請求項１】
前身頃及び後身頃を個別又は一体的に構成する外装体と、前身頃から後身頃にわたるように外装体の内側に設けられた、吸収体と、吸収体を肌側から覆うトップシートを備え、
前身頃の外装体の両側縁部と後身頃の外装体の両側縁部とが接合されてサイドシール部が形成されることにより、ウエスト開口及び左右一対の脚開口が形成されたパンツタイプ使い捨ておむつにおいて、
前記吸収体には、前身頃部の肌側及び衣服側のそれぞれに、幅方向に沿う少なくとも１本の溝状のエンボスが形成されていることを特徴とするパンツタイプ使い捨ておむつ。
【請求項２】
前記エンボスは、肌側と衣服側に交互に形成されている請求項１記載のパンツタイプ使い捨ておむつ。
【請求項３】
前記エンボスは、その一端が前記吸収体の幅方向側面に達していない請求項１記載のパンツタイプ使い捨ておむつ。
【請求項４】
前記エンボスは、吸収体の幅方向中間において形成されていない請求項１記載のパンツタイプ使い捨ておむつ。
【請求項５】
前記エンボスの縦方向間隔は前記吸収体の幅方向中央で小さく、前記吸収体の幅方向中央から離隔した部位にかけて漸増する請求項１記載のパンツタイプ使い捨ておむつ。
【請求項６】
前記エンボスは、前記吸収体の股下に向かい凸形の曲線をもって形成されている部分を含む請求項１記載のパンツタイプ使い捨ておむつ。
【発明の詳細な説明】
【技術分野】
【０００１】
本発明はパンツタイプ使い捨ておむつに関する。
【背景技術】
【０００２】
パンツタイプ使い捨ておむつ（以下、単に、おむつともいう）は、前身頃及び後身頃を個別又は一体的に構成する外装体と、前身頃から後身頃にわたるように外装体の内面に取り付けられた、吸収体を含む内装体と、吸収体を肌側から覆うトップシートを備え、前身頃の外装体の両側縁部と後身頃の外装体の両側縁部とが接合されてサイドシール部が形成されることにより、ウエスト開口及び左右一対の脚開口が形成されているものが一般的である。
【０００３】
パンツタイプ使い捨ておむつの前身頃にわたるように外装体の内面に取り付けられた内装体は吸収体を含むため前方へ膨らみを持つが、男性装着者が自立してパンツタイプ使い捨ておむつの前方を引き下ろし立位で排尿する場合、引き下ろしによって吸収体が変形しておむつの前身頃部がさらに前方へ膨らみ膨出する。この状態で排尿し、残尿を前方に排出しきれない場合、残尿がおむつの外面にかかってしまい外面が汚れてしまう問題があった。特に、前立腺肥大など排尿の勢いが弱い男性が立位で自立排尿する場合に問題となりやすい。
【０００４】
したがって、例えば排尿の勢いが弱い男性が立って排尿する場合でも、パンツタイプ使い捨ておむつの引き下ろしによって前方へ膨出し、残尿が垂れておむつの外面が汚れてしまうのを防止するパンツタイプ使い捨ておむつが望まれている。
【０００５】
従来、パンツタイプ使い捨ておむつの吸収体にエンボス加工すること自体は知られている（特許文献１及び２）。
【先行技術文献】
【特許文献】
【０００６】
【特許文献１】特開２０１２−１４３５３５号公報
【特許文献２】特開２００４−０１６６４８号公報
【発明の概要】
【発明が解決しようとする課題】
【０００７】
しかし、そのエンボスは尿の拡散などを主たる目的とするもので、上記問題を解決しようとするものではない。
【０００８】
そこで本発明の主たる課題は、装着者がパンツタイプ使い捨ておむつの前身頃の引き下ろした際における、吸収体の変形に伴う前方への過度の膨出を防止できる使い捨ておむつを提供することにある。
【課題を解決するための手段】
【０００９】
上記課題を解決した本発明のパンツタイプ使い捨ておむつは、
前身頃及び後身頃を個別又は一体的に構成する外装体と、前身頃から後身頃にわたるように外装体の内側に設けられた、吸収体と、吸収体を肌側から覆うトップシートを備え、
前身頃の外装体の両側縁部と後身頃の外装体の両側縁部とが接合されてサイドシール部が形成されることにより、ウエスト開口及び左右一対の脚開口が形成されたパンツタイプ使い捨ておむつにおいて、
前記吸収体には、前身頃部の肌側及び衣服側のそれぞれに、幅方向に沿う少なくとも１本の溝状のエンボスが形成されていることを特徴とするものである。
【００１０】
本発明に係るパンツタイプ使い捨ておむつは、装着者がパンツタイプ使い捨ておむつの前身頃を引き下ろした際に、吸収体の変形に伴う前方への過度の膨出を防止する使い捨ておむつを提供することができる。
吸収体には、前身頃部の肌側及び衣服側のそれぞれに、幅方向に沿う少なくとも１本の溝状のエンボスが形成されているので、装着者がパンツタイプ使い捨ておむつの前身頃を引き下ろした際に、エンボスを境にして折れ曲がるようになるとともに、エンボスが肌側及び衣服側のそれぞれに形成されているので、いわば蛇腹状に折れ曲がる。
その結果、従来例における吸収体の変形に伴う、前身頃の排尿方向に過度の膨出を防止することができる。
【００１１】
他に、前記エンボスは、肌側と衣服側に交互に形成されている構成とすることができる。
この形態においては、通常は、エンボスを折れの谷として曲がる傾向があるので、肌側と衣服側に交互に形成されていることは、縦断面における折れ曲がり方向を順次変えることになるので、吸収体の変形に伴う前身頃の排尿方向に膨出量が小さいものとなる利点がある。
【００１２】
前記エンボスは、その一端が前記吸収体の幅方向側面に達していない構成とすることができる。
尿がエンボスに沿った幅方向に拡散する場合、エンボスが吸収体の幅方向側面に達していないことから、横漏れの原因を排除できる。
【００１３】
前記エンボスは、吸収体の幅方向中間において形成されていなくともよく、幅方向両側部にあれば、幅方向両側部のエンボスを跨がるように、吸収体が折れる。
【００１４】
前記エンボスの縦方向間隔は前記吸収体の幅方向中央で小さく、前記吸収体の幅方向中央から離隔した部位にかけて漸増する構成とすることができる。
吸収体の幅方向中央でエンボスの間隔が小さいから、小さい間隔の折れ目の繰り返しとなるので、吸収体の変形に伴う前身頃の排尿方向に膨出量がより小さいものとなる。
【００１５】
エンボスは、吸収体の股下に向かい凸形の曲線をもって形成されている部分を含むことができる。
かかるエンボス形状であると、装着者がパンツタイプ使い捨ておむつの前身頃を引き下ろす際における抵抗が小さいものとなる。
【発明の効果】
【００１６】
以上のとおり、本発明によれば、装着者がパンツタイプ使い捨ておむつの前身頃の引き下ろした際における、吸収体の変形に伴う前方への過度の膨出を防止できる。
【図面の簡単な説明】
【００１７】
【図１】展開状態のパンツタイプ使い捨ておむつの平面模式図（内面側）である。
【図２】吸収体の平面模式図であり、（ａ）〜（ｈ）はエンボス形成形態例を示す模式図である。
【図３】図１のＣ−Ｃ断面図である。
【図４】図１のＡ−Ａ断面図である。
【図５】図１のＢ−Ｂ断面図である。
【図６】パンツタイプ使い捨ておむつの装着状態の斜視図である。
【図７】従来のパンツタイプ使い捨ておむつの装着状態で前身頃を引き下げたときの模式斜視図である。
【図８】本発明のパンツタイプ使い捨ておむつの装着状態で前身頃を引き下げたときの模式斜視図である。
【発明を実施するための形態】
【００１８】
以下、本発明の一実施形態について、添付図面を参照しつつ詳説する。
図１はパンツタイプ使い捨ておむつの一例を示している。このパンツタイプ使い捨ておむつ（以下、単におむつともいう。）は、前身頃Ｆ及び後身頃Ｂを一体的に構成する外装体２０と、前身頃Ｆから後身頃Ｂにわたるように外装体２０の内面に固定された内装体１０とを有しており、内装体１０は液透過性のトップシート１１と液不透過性裏面側シート１２との間に吸収体１３が介在されてなるものである。例えば、製造に際しては、外装体２０の内面（上面）に対して内装体１０の裏面がホットメルト接着剤などの接合手段によって接合された後に、内装体１０および外装体２０が前身頃Ｆ及び後身頃Ｂの境界である前後方向（縦方向）中央で折り畳まれ、その両側部が相互に熱溶着またはホットメルト接着剤などによって接合されてサイドシール部２１が形成されることによって、ウエスト開口及び左右一対の脚開口が形成されたパンツタイプ使い捨ておむつとなる。
【００１９】
（内装体の構造例）
内装体１０は、図３〜図５に示すように、不織布などからなる液透過性のトップシート１１と、ポリエチレン等からなる液不透過性裏面側シート１２との間に、吸収体１３を介在させた構造を有しており、トップシート１１を透過した排泄液を吸収保持するものである。内装体１０の平面形状は特に限定されないが、図示形態のように略長方形とすることが一般的である。
【００２０】
吸収体１３の面側（肌当接面側）を覆うトップシート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。トップシート１１に多数の透孔を形成した場合には、尿などが速やかに吸収されるようになり、ドライタッチ性に優れたものとなる。トップシート１１は、吸収体１３の側縁部を巻き込んで吸収体１３の裏面側まで延在している。
【００２１】
吸収体１３の裏面側（非肌当接面側）を覆う液不透過性裏面側シート１２は、ポリエチレンまたはポリプロピレンなどの液不透過性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートである。
【００２２】
吸収体１３としては、公知のもの、例えばパルプ繊維の積繊体、セルロースアセテート等のフィラメントの集合体、あるいは不織布を基本とし、必要に応じて高吸収性ポリマーを混合、固着等してなるものを用いることができる。この吸収体１３は、形状及びポリマー保持等のため、必要に応じてクレープ紙等の、液透過性及び液保持性を有する包装シート１４によって包装することができる。
【００２３】
吸収体１３の全体形状は、股間部分に前後両側よりも幅の狭い括れ部分１３Ｎを有する略砂時計状に形成されているが、長方形状等、適宜の意形状とすることができる。括れ部分１３Ｎの寸法は適宜定めることができるが、括れ部分１３Ｎの前後方向長さはおむつ全長の２０〜５０％程度とすることができ、その最も狭い部分の幅は吸収体１３の全幅の４０〜６０％程度とすることができる。このような括れ部分１３Ｎを有する場合において、内装体１０の平面形状が略長方形とされていると、内装体１０における吸収体１３の括れ部分１３Ｎと対応する部分に、吸収体１３を有しない余り部分が形成される。
【００２４】
内装体１０の両側部には脚周りにフィットする立体ギャザーＢＳが形成されている。この立体ギャザーＢＳは、図４及び図５に示されるように、内装体の裏面の側部に固定された固定部と、この固定部から内装体の側方を経て内装体の面の側部まで延在する本体部と、本体部の前後端部が倒伏状態で内装体の面の側部に固定されて形成された倒伏部分と、この倒伏部分間が非固定とされて形成された自由部分とが、折返しによって二重シートとした立体ギャザーシート１５により形成されている。立体ギャザーシート１５としては撥水性とされた不織布が好適に用いられる。
【００２５】
また、二重シートのシート間には、自由部分の先端部等に細長状の立体ギャザー弾性部材１６が配設されている。立体ギャザー弾性部材１６は、製品状態において図３に二点鎖線で示すように、弾性伸縮力により吸収体側縁部より突出する自由部分を起立させて立体ギャザーＢＳを形成するためのものである。
【００２６】
液不透過性裏面側シート１２は、トップシート１１とともに吸収体１３の幅方向両側で裏側に折り返されている。この液不透過性裏面側シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００２７】
ギャザー弾性部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５ｄｔｅｘ以下、テンションは１５０〜３５０％、間隔は１０．０ｍｍ以下として配設するのがよい。なお、ギャザー弾性部材１６としては、図示形態のような糸状の他、ある程度の幅を有するテープ状のものを用いることもできる。
【００２８】
前述の立体ギャザーシート１５を構成する素材繊維もトップシート１１と同様に、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらに立体ギャザーシート１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００２９】
（外装体の構造例）
外装体２０は、前後方向中央から腹側に延在する前身頃Ｆを構成する部分と、前後方向中央から背側に延在する後身頃Ｂを構成する部分とを有し、これら前身頃Ｆの両側部と後身頃Ｂの両側部とが接合されてサイドシール部２１が形成されるとともに、装着者の胴を通すためのウエスト開口及び脚を通すための左右一対の脚開口が形成されているものである。
【００３０】
外装体２０は、サイドシール部２１を有する縦方向範囲（ウエスト開口から脚開口の上端に至る縦方向範囲）として定まる胴周り部Ｔと、脚開口を形成する部分の前後方向範囲（前身頃Ｆのサイドシール部２１を有する縦方向領域と後身頃Ｂのサイドシール部２１を有する縦方向領域との間）して定まる脚開口部Ｌとを有する。胴周り部Ｔは、概念的にウエスト開口の縁部を形成するウエスト部Ｗと、これよりも下側の部分であるウエスト下方部Ｕとに分けることができ、吸収体１３又は内装体１０よりもウエスト開口側がウエスト部Ｗとなる。
【００３１】
外装体２０は、図３〜図５にも示されるように、それぞれ不織布等からなる押えシート２０Ａ及びバックシート２０Ｂからなる２層構造とされ、押えシート２０Ａとバックシート２０Ｂとの間、及びバックシート２０Ｂをウエスト開口縁で内面側に折り返してなる折り返し部分２０Ｃの不織布間に各種弾性部材が配設され、伸縮性が付与されている。平面形状は、中間両側部にそれぞれ脚開口を形成するために形成された凹状の脚周りライン２９により、全体として擬似砂時計形状をなしている。
【００３２】
図示形態の外装体２０は、前身頃Ｆ及び後身頃Ｂのそれぞれにおいて、幅方向に沿う弾性部材として、ウエスト部Ｗに配置されたウエスト部弾性部材２４、ウエスト下方部Ｕに配置されたウエスト下方部弾性部材２５、及び脚開口部Ｌに配置された脚開口部弾性部材２７を有するとともに、これらとは別に、サイドシール部２１から一脚開口に沿って股間部分に向かうパターンで湾曲しつつ延在する弾性部材２６，２８を備えている。これら、弾性部材２４〜２８は、それぞれその延在方向に沿って所定の伸長率で伸長された状態で固定されている。
【００３３】
（前後押えシート）
図１及び図３にも示されるように、外装体２０の内面上に取り付けられた内装体１０の前後端部をカバーし、且つ内装体１０の前後縁からの漏れを防ぐために、前後押えシート５０，６０が設けられていても良い。図示形態について更に詳細に説明すると、前押えシート５０は、前身頃Ｆ内面のうちウエスト側端部の折り返し部分２０Ｃの内面から内装体１０の前端部と重なる位置まで幅方向全体にわたり延在しており、後押えシート６０は、後身頃Ｂ内面のうちウエスト側端部の折り返し部分２０Ｃの内面から内装体１０の後端部と重なる位置まで幅方向全体にわたり延在している。前後押えシート５０，６０の股下側縁部に幅方向の全体にわたり（中央部のみでも良い）若干の非接着部分を設けると、接着剤が食み出ないだけでなく、この部分をトップシートから若干浮かせて防漏壁として機能させることができる。
【００３４】
図示形態のように、前後押えシート５０，６０を別体として取り付けると、素材選択の自由度が高くなる利点があるものの、資材や製造工程が増加する等のデメリットもある。そのため、外装体２０をおむつ内面に折り返してなる折り返し部分２０Ｃを、内装体１０と重なる部分まで延在させて、前述の押えシート５０，６０と同等の部分を形成することもできる。
【００３５】
（吸収体１３におけるエンボス形成例）  
さて、本発明は、吸収体に、前身頃部の肌側及び衣服側のそれぞれに、幅方向に沿う少なくとも１本の溝状のエンボスが形成されていることを特徴とするものである。
このエンボス形成例が図２に示されている。実線が衣服側のエンボス１７ａを、破線が肌側のエンボス１７ｂを示す
【００３６】
図２（ａ）の例では、衣服側エンボス１７ａと肌側エンボス１７ｂが、それぞれ股下側に小さく膨らむ一様な凸曲線をもって形成され、縦方向の間隔が幅方向においてほぼ同一に形成されている。
【００３７】
図２（ｂ）の例では、衣服側エンボス１７ａと肌側エンボス１７ｂが、それぞれ股下側に膨らむ凸曲線をもって形成されているが、縦方向の間隔が幅方向において一様ではない。すなわち、吸収体１３の縦方向端側ほどエンボス曲線の曲率が小さい態様であるので、縦方向のエンボス間隔が幅方向中央で小さく、幅方向の外側に向かうほど間隔が大きくなっている。
【００３８】
図２（ｃ）の例では、衣服側エンボス１７ａと肌側エンボス１７ｂが、それぞれ股下側に膨らむ凸曲線をもって形成されているが、縦方向の間隔が幅方向において一様ではない。すなわち、吸収体１３の縦方向端側ほどエンボス曲線の曲率が大きい態様であるので、縦方向のエンボス間隔が幅方向中央で大きく、幅方向の外側に向かうほど間隔が小さくなっている。
【００３９】
図２（ｄ）の例では、衣服側エンボス１７ａと肌側エンボス１７ｂが、それぞれ、斜線と水平線との組み合わせによって、股下側に膨らむ一様な凸の折曲線をもって形成され、縦方向の間隔が幅方向においてほぼ同一に形成されている。
【００４０】
図２（ｅ）の例では、衣服側エンボス１７ａと肌側エンボス１７ｂが、それぞれ、水平線と曲線との組み合わせによって、股下側に膨らむ一様な複合線をもって形成され、縦方向の間隔が幅方向においてほぼ同一に形成されている。
【００４１】
図２（ｆ）の例では、衣服側エンボス１７ａ及び肌側エンボス１７ｂが、吸収体の幅方向中間において形成されておらず、幅方向の両側部のみに形成されている例である。
【００４２】
図２（ｇ）の例では、衣服側エンボス１７ａ及び肌側エンボス１７ｂが、吸収体の幅方向中間において形成されておらず、幅方向の両側部のみに形成されている例であるとともに、衣服側エンボス１７ａと肌側エンボス１７ｂの縦方向位置が異なっている例である。
【００４３】
図２（ｈ）の例では、衣服側エンボス１７ａ及び肌側エンボス１７ｂが、それぞれ、長さ方向に間欠的に形成された例を、図２（ａ）の例に従う例として示したものである。
この間欠エンボス例は、他の図２（ａ）〜（ｇ）の例においても適用可能である。
【００４４】
各エンボス１７の溝幅は、１ｍｍ〜３．５ｍｍが好ましく、１ｍｍ以下の場合、折り目がつきにくくなる傾向がある。また、３．５ｍｍ以上の場合、折れ曲がり応力が分散し折りたたまれにくい。
【００４５】
エンボス１７ａ、１７ｂは、身体への装着時において、装着者が立位で前身頃Ｆを下方へ引き下げたとき、吸収体１３は前記エンボス１７ａ、１７ｂを境として蛇腹状に折りたたまれる。このためには、縦方向のエンボス間隔は、１０ｍｍ〜２５ｍｍの範囲内が好ましい。エンボスの間隔が１０ｍｍ未満の場合、間隔が狭すぎ、エンボス部分で折りたたまれない場合もある。また、２５ｍｍを超える場合、エンボス間隔が広すぎるためエンボスの部位以外で折れ、前方に過度に膨出してしまう可能性がある。
【００４６】
前身頃Ｆにおけるエンボス１７群の形成領域及び配置は、吸収体１３の前側端位置から股下上１０ｃｍ離隔した位置の間が望ましい。過度に広範囲にエンボスを形成すると、尿の拡散性を損ない、また使用者の装着感を悪化させる要因になる。
【００４７】
（実施例）
人体モデルに従来例の使い捨ておむつ及び本発明例の使い捨ておむつをそれぞれ装着し、前身頃の中央をずり下ろした場合のおむつの前身頃部の形状を観察した。
それぞれの結果を模式的に図７，８に示す。点線は折り畳みの谷折れ部位を、一点鎖線は山折れ部位を示す
従来のパンツタイプ使い捨ておむつでは折り目が乱雑で位置が定まらず、丸まって大きな膨出量Ｘｐが発生するのに対し、本発明に係るパンツタイプ使い捨ておむつでは、規則的な蛇腹状の折れ曲がりが生成され、図８の本発明に係るパンツタイプ使い捨ておむつの膨出量Ｘｉは、顕著に小さいことが分かる。
【００４８】
（その他）
前身頃Ｆから後身頃（図示略）までを一体的な外装体により連続的に覆っていればよく、外装体が前身頃Ｆを構成するものと後身頃を構成するものとに分割されて、前身頃Ｆの外装体と後身頃の外装体とが股間側で連続しておらず、離間されている形態でも採用してよい（図示略）。この場合、前身頃の外装体は、少なくともエンボスと重なる部分、その幅方向両側の部分及びこれらのウエスト開口側の部分を有するもの、すなわち、前記外装体は前記吸収体の前記エンボスに接続するエンボスを有するものであってもよく、このように、外装体にもエンボスを形成し、かつ、エンボスは吸収体に配したエンボスへ接続するものは、外装体から発生する折れも吸収体に伝搬し、相乗効果が得られるものもある。また、内装体の裏面は不織布等の股間部外装体により被覆することができる。
吸収体１３の衣服側へエンボス加工を施した際、エンボス加工箇所以外にホットメルト接着剤を塗布して外装体２０と貼り合わせてよいし、エンボス加工箇所のみ場合、ホットメルト接着剤を塗布して外装体２０と貼り合わせてよい。
谷折り（肌側へ突き出る）になるエンボスにのみ、ホットメルト接着剤を塗布して外装体２０と貼り合わせてよいし、山折り（衣服側へ突き出る）になるエンボスにのみ、ホットメルト接着剤を塗布して外装体２０と貼り合わせてもよい。
これらのホットメルト接着剤を塗布については、外装体外側からエンボス加工を施す場合にも同様に適用可能である。
【産業上の利用可能性】
【００４９】
本発明は、上記例のようなパンツタイプ使い捨ておむつに利用できるものである。
【符号の説明】
【００５０】
Ｂ…後身頃、ＢＳ…立体ギャザー、Ｆ…前身頃、１０…内装体、１１…トップシート、１２…液不透過性裏面側シート、１３…吸収体、１３Ｎ…括れ部分、１４…包装シート、１５…立体ギャザーシート、１６…立体ギャザー弾性部材、１７…エンボス、１７ａ…衣服側エンボス、１７ｂ…肌側エンボス、２０…外装体、２０Ｃ…折り返し部分、２１…サイドシール部、２４…ウエスト部弾性部材、２５…ウエスト下方部弾性部材、２６，２８…弾性部材、２９…脚周りライン、Ｔ…胴周り部、Ｌ…脚開口部、Ｗ…ウエスト部、Ｕ…ウエスト下方部。
【図１】
2018161266.tif 000003
【図２】
2018161266.tif 000004
【図３】
2018161266.tif 000005
【図４】
2018161266.tif 000006
【図５】
2018161266.tif 000007
【図６】
2018161266.tif 000008
【図７】
2018161266.tif 000009
【図８】
2018161266.tif 000010